(57)【特許請求の範囲】
【請求項１】
直方体状の建物ユニットを複数組み合わせて形成されるユニット式建物の設計作業を支援するユニット式建物用ＣＡＤシステムであって、
前記ユニット式建物の平面図を設計するための平面図設計手段を備え、この平面図設計手段は、
設計対象となるユニット式建物に設けられる部品の大きさを基準として、前記ユニット式建物の平面図上に互いに直交して格子状に設定される複数のグリッドモジュール心線を生成するグリッドモジュール生成手段と、
前記グリッドモジュール心線の複数の交点のうち、第１点と、この第１点と別の点である第２点とが選択されると、前記格子で構成される複数の長方形のうち、前記２点を対角線上の頂点とする一つの長方形を選択する形状選択手段と、
この形状選択手段によって選択された長方形を建物ユニットとして設定する建物ユニット設定手段とを備えていることを特徴とするユニット式建物用ＣＡＤシステム。
【請求項２】
請求項１に記載のユニット式建物用ＣＡＤシステムにおいて、
前記平面図設計手段は、前記形状選択手段によって２つの長方形が選択され、かつ、予め設定された複数のＬ字形状のうちの一つが選択されると、前記２つの長方形を選択されたＬ字形状に組み合わせて平面Ｌ字形状に建物ユニットを設定するＬ型建物ユニット設定手段を備えていることを特徴とするユニット式建物用ＣＡＤシステム。
【請求項３】
請求項１または２に記載のユニット式建物用ＣＡＤシステムにおいて、
前記平面図設計手段は、前記格子状に生成される複数のグリッドモジュール心線のうちの一つが選択され、かつ、この選択されたグリッドモジュール心線で分割された平面図のうちのいずれか一方が選択されると、
前記選択されたグリッドモジュール心線と、この選択されたグリッドモジュール心線に平行に隣接しかつ前記選択された一方の側にあるグリッドモジュール心線との間の中央に、新たにグリッドモジュール心線を生成するハーフモジュール生成手段を備えていることを特徴とするユニット式建物用ＣＡＤシステム。
【請求項４】
請求項１から３のいずれかに記載のユニット式建物用ＣＡＤシステムにおいて、
前記平面図設計手段は、前記ユニット式建物に設けられる部品が選択されると、その平面形状を反転させる部品反転手段を備えていることを特徴とするユニット式建物用ＣＡＤシステム。
【請求項５】
請求項１から４のいずれかに記載のユニット式建物用ＣＡＤシステムにおいて、
前記平面図設計手段は、前記ユニット式建物の１階平面図を設計するための１階平面図設計手段と、２階平面図を設計するための２階平面図設計手段とを備え、この２階平面図設計手段は、前記１階平面図設計手段で設計された１階平面図を２階平面図上に複製する１階平面図複製手段を備えていることを特徴とするユニット式建物用ＣＡＤシステム。
【請求項６】
請求項１から５のいずれかに記載のユニット式建物用ＣＡＤシステムにおいて、
前記ユニット式建物の立面図を設計するための立面図設計手段を備え、この立面図設計手段は、部品の種類と立面図上の水平方向の位置が選択されると、前記建物ユニットの上端または下端からの規定の寸法で前記部品の高さ方向の位置を設定する高さ位置設定手段を備えていることを特徴とするユニット式建物用ＣＡＤシステム。
【請求項７】
請求項６に記載のユニット式建物用ＣＡＤシステムにおいて、
前記平面図設計手段および立面図設計手段は、前記建物ユニットの床または間仕切壁が選択されると、この選択された床または間仕切壁をＡＬＣ材に設定する材料選択手段を備えていることを特徴とするユニット式建物用ＣＡＤシステム。
【発明の詳細な説明】
【０００１】
【発明の属する技術分野】
本発明は、コンピュータを用いてユニット式建物の設計作業を支援するユニット式建物用ＣＡＤシステムに関する。
【０００２】
【背景技術】
従来より、工場で製造した箱状の建物ユニットを、建築現場で複数組み合わせて建築されるユニット式建物が利用されている。
ユニット式建物の建物ユニットは、図１４に示すように、四隅の柱１１の上下端部を天井梁１２および床梁１３で連結した直方体状の骨組み１４を有するものである。天井梁１２としては、長さの異なる長辺天井梁１２Ａおよび短辺天井梁１２Ｂが設けられている。床梁１３としては、天井梁１２と同様に、長さの異なる長辺床梁１３Ａおよび短辺床梁１３Ｂが設けられている。このような骨組み１４には、図示しない天井面材および床面材、ならびに、外壁材および間仕切壁等の造作材が取り付けられるようになっている。
【０００３】
このようなユニット式建物によれば、工場で建物ユニットを製造する際に、従来建築現場で行っていた作業がほとんど工場で行われることとなり、建築現場での作業が著しく軽減され、高品質の建物を短期間で建築できるという利点がある。
【０００４】
したがって、顧客に提供する商品としての建物を既製品化してユニット式建物とし、これにより、設計および製造すべき商品の種類を限定し、設計作業および製造作業の高効率化を図っていたが、これでは、顧客の多様な要望に十分対応することが困難となる場合がある。
そこで、一般的な注文建築と同様に、顧客の要求に応じてユニット式建物を一つずつ設計し、設計を行うにあたり、設計作業の効率が十分確保されるように、設計作業を支援するＣＡＤシステムを利用している（特開平８−１３７９３０号公報参照）。
【０００５】
このＣＡＤシステムでは、ユニット式建物の全体形状を設計するにあたり、ユニット式建物を構成する建物ユニットの形状を入力し、これら建物ユニットを組み合わせる作業を行う。具体的には、ＣＡＤシステムを構成する表示装置の画面上に、複数の建物ユニットの平面形状が数値で表現された形状メニューが表示されている。この形状メニューの中の一つをオペレータが選択すると、表示画面がユニット式建物の平面図に切り替わって、選択した形状の建物ユニットが表示されるようになっており、この作業を繰り返すことによって、ユニット式建物を複数の建物ユニットで形成する。
【０００６】
【発明が解決しようとする課題】
しかし、建物ユニットの形状の入力毎に形状メニューを表示する作業、つまり画面を切り替える作業が必要となるため、キーボードやマウスの操作が複雑となって設計作業に多大な労力と時間を要していた。また、複数の建物ユニットの形状が全て数値で表現されているため、オペレータが誤認や誤操作をする可能性があった。
【０００７】
本発明の目的は、容易に設計作業を行うことができるユニット式建物用ＣＡＤシステムを提供することにある。
【０００８】
【課題を解決するための手段】
上記目的を達成するため、本発明のユニット式建物用ＣＡＤシステムは、次の構成を採用する。
本発明を図面を参照して説明すると、請求項１に記載のユニット式建物用ＣＡＤシステムは、直方体状の建物ユニットを複数組み合わせて形成されるユニット式建物の設計作業を支援するユニット式建物用ＣＡＤシステム１であって、
前記ユニット式建物の平面図を設計するための平面図設計手段３１，３２を備え、この平面図設計手段は、
設計対象となるユニット式建物に設けられる部品の大きさを基準として、前記ユニット式建物の平面図上に互いに直交して格子状に設定される複数のグリッドモジュール心線Ｇ１、Ｇ１１を生成するグリッドモジュール生成手段４２と、
前記グリッドモジュール心線の複数の交点のうち、第１点Ｍ、Ｐ、Ｒ、Ｕと、この第１点と別の点である第２点Ｎ、Ｑ、Ｓ、Ｖとが選択されると、前記格子で構成される複数の長方形のうち、前記２点を対角線上の頂点とする一つの長方形を選択する形状選択手段５１と、
この形状選択手段によって選択された長方形を建物ユニットＴ１、Ｔ２として設定する建物ユニット設定手段５２とを備えていることを特徴とする。
【０００９】
この発明によれば、ユニット式建物の平面図上に設けられた複数のグリッドモジュール心線の交点のうちの互いに異なる２点を選択するだけで建物ユニットの形状を設定できるから、つまりユニット式建物の平面図上で建物ユニットの形状を選択、設定して、これらを組み合わせてユニット式建物を設計する作業を行うことができるから、従来のユニット式建物用ＣＡＤシステムのように画面を切り替えて形状メニューの中から選択する必要がない。したがって、マウス操作等の労力や時間を軽減でき、容易に設計作業を行うことができる。
さらに、建物ユニットの対角線上の頂点となる２点を選択するので、具体的な形状をイメージでき、建物ユニットの形状を数値で選択する場合に比べ、誤認や誤操作が少なくなる。
【００１０】
請求項２に記載のユニット式建物用ＣＡＤシステムは、請求項１に記載のユニット式建物用ＣＡＤシステムにおいて、
前記平面図設計手段は、前記形状選択手段によって２つの長方形が選択され、かつ、予め設定された複数のＬ字形状のうちの一つが選択されると、前記２つの長方形を選択されたＬ字形状に組み合わせて平面Ｌ字形状に建物ユニットＴ３を設定するＬ型建物ユニット設定手段５３を備えていることを特徴とする。
【００１１】
この発明によれば、形状選択手段によって２つの長方形を選択し、予め設定された複数のＬ字形状のうちの一つを選択すると、Ｌ型建物ユニット設定手段によって自動的にＬ型建物ユニットが平面図上に表示されるから、様々な形状および大きさを有するＬ型建物ユニットを簡単な操作で生成することができ、設計作業の作業効率を向上できる。
【００１２】
請求項３に記載のユニット式建物用ＣＡＤシステムは、請求項１または２に記載のユニット式建物用ＣＡＤシステムにおいて、
前記平面図設計手段は、前記格子状に生成される複数のグリッドモジュール心線のうちの一つが選択され、かつ、この選択されたグリッドモジュール心線で２分割された平面図のうちのいずれか一方が選択されると、
前記選択されたグリッドモジュール心線と、この選択されたグリッドモジュール心線に平行に隣接しかつ前記選択された一方の側にあるグリッドモジュール心線との間の中央に、新たにグリッドモジュール心線Ｇ４を生成するハーフモジュール生成手段５４を備えていることを特徴とする。
【００１３】
この発明によれば、ハーフモジュール生成手段によって、複数のグリッドモジュール心線で形成された通常のグリッドのうち、任意の部分に通常の半分の大きさのグリッド（ハーフサイズグリッド）を形成することができるから、顧客の要望により通常の半分のモジュールで部品の設計を行う箇所にのみハーフサイズグリッドを生成することができる。したがって、全てのグリッドにハーフサイズグリッドを生成する場合に比べ、平面図が見にくくなることがなく、顧客の要望に沿ってハーフサイズの部品を配置しつつ設計作業の作業効率を向上できる。
【００１４】
請求項４に記載のユニット式建物用ＣＡＤシステムは、請求項１から３のいずれかに記載のユニット式建物用ＣＡＤシステムにおいて、
前記平面図設計手段は、前記ユニット式建物に設けられる部品６２が選択されると、その平面形状を反転させる部品反転手段５５を備えていることを特徴とする。
この発明によれば、部品を選択するのみで自動的にその選択された部品の形状が反転されるから、例えば、扉や窓のように開き勝手が左右ある部品や、システムキッチン等のように部屋に対応した形状にする必要がある部品について、部品の平面形状を一つ登録するだけでよく、部品の登録数を削減でき、設計作業の作業効率を向上できる。
【００１５】
請求項５に記載のユニット式建物用ＣＡＤシステムは、請求項１から４のいずれかに記載のユニット式建物用ＣＡＤシステムにおいて、
前記平面図設計手段は、前記ユニット式建物の１階平面図を設計するための１階平面図設計手段３１と、２階平面図を設計するための２階平面図設計手段３２とを備え、この２階平面図設計手段は、前記１階平面図設計手段で設計された１階平面図を２階平面図上に複製する１階平面図複製手段４６を備えていることを特徴とする。
【００１６】
この発明によれば、１階平面図設計手段で１階平面図を設計した後、２階平面図設計手段によって２階平面図を設計する際に、１階平面図複製手段によって１階平面図を２階平面図に複製できる。したがって、ユニット式建物を構成する建物ユニットの形状、配置等は１階、２階共にほぼ同一であるから、１階平面図をベースとして２階平面図の設計作業を迅速に行うことができ、設計作業の作業効率を向上できる。
さらに、２階平面図の設計作業の際に、間仕切壁や、トイレ、流し台等の水回り関係の配置を１階の間仕切壁やパイプスペース位置を考慮して設計できるから、２階平面図の設計作業を効率的に行うことができる。
【００１７】
請求項６に記載のユニット式建物用ＣＡＤシステムは、請求項１から５のいずれかに記載のユニット式建物用ＣＡＤシステムにおいて、
前記ユニット式建物の立面図を設計するための立面図設計手段３５を備え、この立面図設計手段は、部品６３、６６の種類と立面図上の水平方向の位置が選択されると、前記建物ユニットの上端または下端からの規定の寸法で前記部品の高さ方向の位置を設定する高さ位置設定手段５７を備えていることを特徴とする。
【００１８】
この発明によれば、通常の階高を有する建物ユニットと異なる階高を有する建物ユニットの立面図を設計する場合であっても、窓や扉等の部品の立面図上の水平方向の位置を設定するだけで、高さ位置設定手段によって、部品の高さ位置が自動的に設定されて立面図上の位置が決定されるから、階高に合わせて部品情報を登録する必要がなく、部品の登録数を削減でき、設計作業の作業効率を向上できる。
【００１９】
請求項７に記載のユニット式建物用ＣＡＤシステムは、請求項６に記載のユニット式建物用ＣＡＤシステムにおいて、
前記平面図設計手段および立面図設計手段は、前記建物ユニットの床または間仕切壁６５が選択されると、この選択された床または間仕切壁をＡＬＣ材に設定する材料選択手段５６を備えていることを特徴とする。
【００２０】
この発明によれば、建物ユニットの床または間仕切壁を選択するだけで、この選択された床または間仕切壁がＡＬＣ材に自動的に設定されるので、顧客の要望に応じて壁材や床材としてＡＬＣ材を用いることができるから、設計の自由度を向上できる。
【００２１】
【発明の実施の形態】
以下、本発明の一実施形態を図面に基づいて説明する。
図１には、本実施形態に係るＣＡＤシステム１のブロック図が示されている。
ＣＡＤシステム１は、直方体状の骨組を有する建物ユニット（図１４参照）を複数組み合わせて形成されるユニット式建物の設計作業を支援するユニット式建物用のものであり、特に、顧客の要求に応じたユニット式建物の設計作業を支援するものである。
ＣＡＤシステム１には、本システムの核となるコンピュータ本体１０と、設計している階の平面図等を表示するＣＲＴ表示装置２と、コンピュータ本体１０等の操作を行うための入力装置３と、設計した平面図等を製図するＸ−Ｙプロッタ装置４と、設計した建物についてのデータ等を印字するプリンタ５とが設けられている。
【００２２】
コンピュータ本体１０は、記憶装置であるハードディスク装置２０と、各種の処理を行う演算装置であるＣＰＵ３０とを含んで構成されたものである。
このうち、ハードディスク装置２０には、記憶される情報の属性毎に複数の記憶領域が設定されている。
これらの記憶領域としては、ユニット式建物を構築するための部品に関する部品データが蓄積された部品情報蓄積手段２１と、設計されたユニット式建物の部品、部材および工賃の価格等に関する価格データが蓄積された積算情報蓄積手段２２とが設けられている。
【００２３】
ＣＰＵ３０は、各種のソフトウェアがインストールされ、これらのソフトウェアを並列処理するマルチタスク機能を有するものである。
ＣＰＵ３０には、ソフトウェアにより、ハードディスク装置２０の部品情報蓄積手段２１に蓄積された部品データを用いてユニット式建物の１階平面図を設計する１階平面図設計手段３１と、ハードディスク装置２０の部品情報蓄積手段２１に蓄積された部品データを用いてユニット式建物の２階平面図を設計する２階平面図設計手段３２と、ハードディスク装置２０の部品情報蓄積手段２１に蓄積された部品データを用いてユニット式建物の基礎伏図を設計する基礎伏図設計手段３３と、ハードディスク装置２０の部品情報蓄積手段２１に蓄積された部品データを用いてユニット式建物の屋根伏図を設計する屋根伏図設計手段３４と、ハードディスク装置２０の部品情報蓄積手段２１に蓄積された部品データを用いてユニット式建物の立面図を設計する立面図設計手段３５と、ハードディスク装置２０の積算情報蓄積手段２２に蓄積された価格データを用いて、設計したユニット式建物を積算する積算手段３６とが設けられている。
【００２４】
なお、ＣＰＵ３０には、以上の手段３１〜３６の他に、部品情報蓄積手段２１および積算情報蓄積手段２２に蓄積されたデータの入出力を管理するとともに、ユニット式建物の部品のうち、平面の構造および形状に関連する部品データを１階平面図設計手段３１および２階平面図設計手段３２へ出力する際に、当該部品と関連する部品データを基礎伏図設計手段３３、屋根伏図設計手段３４、立面図設計手段３５、積算手段３６に出力する情報管理手段３７が設けられている。
【００２５】
図２には、１階平面図設計手段３１のブロック図が示されている。
１階平面図設計手段３１には、ハードディスク装置２０の部品情報蓄積手段２１とのデータの入出力を制御するデータ入出力制御手段４１と、ユニット式建物の建物ユニットおよび部品の設置位置の基準となるグリッドモジュール心線を生成するグリッドモジュール生成手段４２と、建物ユニットの形状を設計する建物ユニット形状設計手段４３と、ハードディスク装置２０の部品情報蓄積手段２１に蓄積された部品データを用いてユニット式建物の部品を設計する部品設計手段４４と、建物ユニット形状設計手段４３および部品設計手段４４で設計された設計データから平面図を生成する平面図生成手段４５とが設けられている。
【００２６】
グリッドモジュール生成手段４２は、ユニット式建物に設けられる部品の大きさを基準として、ユニット式建物の平面図上に互いに直交して格子状に設定される複数のグリッドモジュール心線を生成するものとなっている。
【００２７】
建物ユニット形状設計手段４３には、建物ユニットを構成する長方形をマウス操作で選択するための形状選択手段５１と、形状選択手段５１で選択された長方形を建物ユニットとして設定する建物ユニット設定手段５２と、形状選択手段５１で選択された長方形を組み合わせて平面Ｌ字形状に建物ユニットを設定するＬ型建物ユニット設定手段５３とが設けられている。
【００２８】
形状選択手段５１は、オペレータが選択した第１点と第２点の二点から、複数の長方形のうち、前記二点を対角線上の頂点とする一つの長方形を選択するものである。
オペレータが選択できる第１点は、グリッドモジュール生成手段４２が生成した格子状のグリッドモジュール心線の複数の交点のうちの１点となっている。
また、オペレータが選択できる第２点は、グリッドモジュール心線が生成したグリッドモジュール心線の複数の交点のうち、第１点と別の点となっている。
【００２９】
建物ユニット設定手段５２は、形状選択手段５１で選択された長方形を、その選択された形状を有する建物ユニットとして設定するものである。
【００３０】
Ｌ型建物ユニット設定手段５３は、予め設定された複数のＬ字形状のうちからオペレータが選択した一つの組み合わせと、形状選択手段５１で選択された２つの長方形とから、これら２つの長方形を選択されたＬ字形状に組み合わせて平面Ｌ字形状に建物ユニットを設定するものである。
【００３１】
部品設計手段４４には、グリッドモジュール心線同士の中央に新たにグリッドモジュール心線を生成するハーフモジュール生成手段５４と、ユニット式建物の部品の平面形状を反転させる部品反転手段５５と、ユニット式建物の床または間仕切壁のうちＡＬＣ材で形成する部分を設定する材料選択手段５６とが設けられている。
【００３２】
ハーフモジュール生成手段５４は、オペレータが選択した任意の箇所に新たにグリッドモジュール心線を加えることにより、グリッドモジュール生成手段４２で形成された通常のグリッドの半分の大きさのグリッド（ハーフサイズグリッド）を形成するものである。
すなわち、ハーフモジュール生成手段５４は、複数のグリッドモジュール心線のうちオペレータが選択した一つのグリッドモジュール心線と、この選択されたグリッドモジュール心線で２つに分割されたユニット式建物の平面図のうち、オペレータが選択した一方の側とから、前記選択されたグリッドモジュール心線と、このグリッドモジュール心線に平行に隣接し、かつ、選択された一方の側にあるグリッドモジュール心線との間の中央に、新たにグリッドモジュール心線を生成するものとなっている。
【００３３】
部品反転手段５５は、ハードディスク装置の部品情報蓄積手段２１から出力された部品データのうち、オペレータが選択した部品について、その平面形状を反転させて設定するものである。
材料選択手段５６は、ユニット式建物の平面図において、オペレータが選択した床または間仕切壁をＡＬＣ材で形成するように設定するものである。
【００３４】
図３には、２階平面図設計手段３２および立面図設計手段３５のブロック図が示されている。
２階平面図設計手段３２には、１階平面図設計手段３１と同様に、ハードディスク装置２０の部品情報蓄積手段２１とのデータの入出力を制御するデータ入出力制御手段４１と、ユニット式建物の建物ユニットおよび部品の設置位置の基準となるグリッドモジュール心線を生成するグリッドモジュール生成手段４２と、建物ユニットの形状を設計する建物ユニット形状設計手段４３と、ハードディスク装置２０の部品情報蓄積手段２１を用いてユニット式建物の部品を設計する部品設計手段４４と、建物ユニット形状設計手段４３および部品設計手段４４で設計された設計データから平面図を生成する平面図生成手段４５とが設けられている。
さらに、２階平面図設計手段３２には、１階平面図設計手段３１で設計された１階平面図を２階平面図上に複製する１階平面図複製手段４６が設けられている。
【００３５】
１階平面図複製手段４６は、オペレータが１階平面図を設計した後に２階平面図を設計する際に、既に設計された１階平面図における各建物ユニットの形状や配置、および間仕切壁の壁厚や配置等を２階平面図上に複製するものである。
【００３６】
立面図設計手段３５には、ハードディスク装置２０の部品情報蓄積手段２１や積算情報蓄積手段２２とのデータの入出力を制御するデータ入出力制御手段４１と、ユニット式建物の部品の高さ位置を設定する高さ位置設定手段５７と、材料選択手段５６および高さ位置設定手段５７で設計された設計データから立面図を生成する立面図生成手段４７とが設けられている。
【００３７】
高さ位置設定手段５７は、オペレータが選択した部品の種類と１階平面図設計手段３１または２階平面図設計手段３２で設計された部品の水平方向の配置とから、建物ユニットの下端からの規定の寸法で部品の立面図上の位置を設定するものである。
【００３８】
次に、ユニット式建物の１階平面図の設計作業における本実施形態の動作について説明する。
先ず、長方形状の建物ユニットを設計する手順について説明する。
【００３９】
形状選択手段５１を起動させると、ＣＲＴ表示装置２の画面上には、図４に示すように、グリッドモジュール生成手段４２が生成した互いに直交する複数のグリッドモジュール心線Ｇ１が表示される。
まず、グリッドモジュール心線Ｇ１が形成する複数の交点のうち、１点Ｍを十字カーソルＫ１で選択し、この点Ｍを第１点とする。
次いで、グリッドモジュール心線Ｇ１が形成する複数の交点のうち、第１点Ｍとは異なる１点Ｎを十字カーソルＫ１で選択し、この点Ｎを第２点とする。
これらの操作により、第１点Ｍおよび第２点Ｎを対角線上の頂点とする長方形が一つ決定され、建物ユニット設定手段５２を起動させると、この長方形が建物ユニットＴ１として設定される。
【００４０】
建物ユニットＴ１の設定が完了すると、図５に示すように、建物ユニットＴ１の大きさを示す境界線Ｇ２と、建物ユニットＴ１の外壁を示す外壁線Ｇ３と、建物ユニットＴ１を構成する柱１１とが、自動的に設定されて表示されるとともに、建物ユニットＴ１に連結される建物ユニットを設計するために、グリッドモジュール生成手段４２によって、新たにグリッドモジュール心線Ｇ１１が生成される。
ここで、新たに生成されるグリッドモジュール心線Ｇ１１は、１階平面図上において建物ユニットＴ１に他の建物ユニットが連結可能な部分、つまり、外壁線Ｇ３で区切られることによってユニット式建物の外部とされた部分を除いて生成されるようになっている。
【００４１】
この状態で、建物ユニットＴ１を設計する手順と同様の手順で、新たに生成されたグリッドモジュール心線Ｇ１１が形成する複数の交点のうち、互いに異なる第３点Ｐおよび第４点Ｑを十字カーソルＫ１で選択することにより、第３点Ｐおよび第４点Ｑを対角線上の頂点とする長方形が建物ユニットＴ２として設定される。
建物ユニットＴ２の設定が完了すると、図６に示すように、建物ユニットＴ２の大きさを示す新たな境界線Ｇ２と、建物ユニットＴ２を構成する柱１１とが、設定されて表示され、建物ユニットＴ１またはＴ２に連結される建物ユニットを設計するために、グリッドモジュール生成手段４２によって、さらに新たにグリッドモジュール心線Ｇ１２が生成される。
以上の作業を繰り返すことにより、複数の長方形状の建物ユニットＴ１、Ｔ２を組み合わせたユニット式建物の全体形状の設計が完了する。
【００４２】
次に、平面Ｌ字形状の建物ユニットを設計する手順について説明する。
Ｌ型建物ユニット設定手段５３を起動させると、ＣＲＴ表示装置２の画面には、図７(Ａ)に示すように、複数のＬ字形状を表した形状メニューが表示され、この形状メニューの中から所望の形状、例えば形状(ａ)を選択する。
Ｌ字形状の選択が完了すると、形状選択手段５１が起動され、図７(Ｂ)に示すように、長方形状の建物ユニットを設計する手順と同様の手順で、グリッドモジュール心線Ｇ１で形成された複数の交点のうち、十字カーソルＫ１で互いに異なる第５点Ｒおよび第６点Ｓを選択し、さらに互いに異なる第７点Ｕおよび第８点Ｖを選択することにより、第５点Ｒおよび第６点Ｓを対角線上の頂点とする長方形と、第７点Ｕおよび第８点Ｖを対角線上の頂点とする長方形とが決まる。
【００４３】
Ｌ字形状と２つの長方形の選択が完了すると、Ｌ型建物ユニット設定手段５３によって、選択された２つの長方形が選択された形状(ａ)に組み合わされてＬ型建物ユニットＴ３として設定される。
Ｌ型建物ユニットＴ３の設定が完了すると、図８に示すように、Ｌ型建物ユニットＴ３の境界線Ｇ２および外壁線Ｇ３とＬ型建物ユニットを構成する柱１１とが自動的に設定されて表示されるとともに、Ｌ型建物ユニットに連結される建物ユニットを設計するために、グリッドモジュール生成手段４２によって、新たにグリッドモジュール心線Ｇ１３が生成される。
【００４４】
以上に述べたような平面Ｌ字形状のＬ型建物ユニットＴ３と、例えば、長方形状の建物ユニットとを組み合わせることにより、ユニット式建物の全体形状の設計が完了する。
【００４５】
次に、ユニット式建物の１階平面図における部品の設計作業について説明する。
ＣＲＴ表示装置２の画面上には、図９に示すように、４つの長方形状の建物ユニットＴ４〜Ｔ７で構成されたユニット式建物の１階平面図が表示されるとともに、各建物ユニットＴ４〜Ｔ７には、グリッドモジュール生成手段４２が生成した互いに直交する複数のグリッドモジュール心線Ｇ１が表示されている。
ハーフモジュール生成手段５４を起動させて、これら複数のグリッドモジュール心線Ｇ１のうち、交点を除く１点Ｗを十字カーソルＫ１で選択すると、点Ｙを含むグリッドモジュール心線Ｇ１は、線幅が変更されることによって、他のグリッドモジュール心線Ｇ１と識別可能に表示される。
【００４６】
さらに、前記選択されたグリッドモジュール心線Ｇ１で２つに分割された平面図のうち、いずれか一方の側をマウス操作でクリックすることにより選択すると、ハーフモジュール生成手段５４によって、前記選択されたグリッドモジュール心線Ｇ１と、このグリッドモジュール心線Ｇ１に平行に隣接し、かつ、選択された一方の側にあるグリッドモジュール心線Ｇ１との間の中央に、新たなグリドモジュール心線としてのハーフモジュール心線Ｇ４が生成される。
【００４７】
その後、このハーフモジュール心線Ｇ４またはグリッドモジュール心線Ｇ１を基準として、部品情報蓄積手段２１から出力された部品データを用いて、ユニット式建物を構成する部品、例えば、キッチン６１、扉６２、外部窓６３および間仕切壁６５を１階平面図上に配置する。
すなわち、図１０に示すように、ユニット式建物の外壁に外部窓６３および外部扉６６を、建物ユニットＴ１の図１０中左上隅にキッチン６１を、建物ユニットＴ１と建物ユニットＴ２との間に扉６２を、建物ユニットＴ２のハーフモジュール心線Ｇ４に沿って間仕切壁６５を配置する。
【００４８】
ここで、扉６２を配置する手順について具体的に説明すると、部品情報蓄積手段２１から扉６２の部品データを平面図上に読み出して表示した後（図１０中点線で示す）、扉６２の平面形状を構成する線上の１点、例えば点Ｘを始点とし、この始点Ｘを十字カーソルＫ１で押さえながら平面図上を移動させて、始点Ｘをグリッドモジュール心線Ｇ１またはハーフモジュール心線Ｇ４上の複数の交点のうちの一つの点Ｙに重ね合わせることによって、この点Ｙを始点Ｘとして扉６２が建物ユニットＴ１上に配置される。キッチン６１、扉６２、外部窓６３および間仕切壁６５の配置についても、同様の手順で行う。
【００４９】
なお、間仕切壁６５については、ハーフモジュール心線Ｇ４上の交点に間仕切壁６５上の始点を重ね合わせて、ハーフモジュール心線Ｇ４を基準として配置することが可能となっているが、外壁に取り付けられる部品、例えば外部窓６３については、ハーフモジュール心線Ｇ４上の交点に外部窓６３上の始点を重ね合わせることができず、ハーフモジュール心線Ｇ４を基準として配置することができないようになっている。
【００５０】
次に、部品を反転させて設計する作業について説明する。
扉、キッチン等の部品については、その部品を構成する部分の配置によって、その仕様が異なるものがある。例えば、扉には、右開きのタイプ（扉６２）と、この右開きと反対方向に開く左開きのタイプがあり、それぞれ蝶番およびドアノブの取り付け位置が反対になっている。
部品情報蓄積手段２１には、複数の仕様のうち１つの仕様についての平面形状のみが部品データとして蓄積されており、１階平面図上には、図１１に示すように、右開きのタイプの扉６２（図１１中点線で示す）のみが、部品情報蓄積手段２１から入力されて表示されている。
ここで、部品反転手段５５を起動させて、扉６２の平面形状を構成する線上の１点Ｘを始点として選択すると、部品反転手段５５によって、この始点Ｘを含むグリッドモジュール心線に対して線対称にその形状が反転され、左開きの扉６２Ａが表示される。なお、キッチン６１についても、同様の手順で反転させることができる。
【００５１】
次に、ユニット式建物の床または間仕切壁のうちＡＬＣ材で形成する部分を設定する作業について説明する。
すなわち、図１２に示すように、材料選択手段５６を起動させ、床または間仕切壁のうち所望の部分、例えば間仕切壁６５を十字カーソルＫ１によって選択すると、材料選択手段５６によって、この選択された間仕切壁６５がＡＬＣ材で形成されるものとして設定されて、斜線によってその他の部分と識別可能に表示される。
以上により、１階平面図における部品の設計作業が完了する。
【００５２】
続いて、ユニット式建物の２階平面図の設計作業における本実施形態の動作について説明する。
ＣＲＴ表示装置２の画面には、グリッドモジュール生成手段４２が２階平面図上に生成した互いに直交する複数のグリッドモジュール心線Ｇ１が表示される。
ここで、１階平面図複製手段を起動させると、２階平面図上に１階平面図が複製されて表示される。すなわち、２階平面図上には、１階の各建物ユニットの形状や配置、および間仕切の厚さや配置が複製されて表示されるとともに、グリッドモジュール心線Ｇ１、境界線Ｇ２、外壁線Ｇ３が表示される。この複製された１階平面図を基礎として、１階平面図を設計した手順と同様の手順で、２階平面図を設計する。
【００５３】
次に、ユニット式建物の立面図の設計作業における本実施形態の動作について説明する。
ユニット式建物の立面図は、１階平面図設計手段３１で生成した１階平面図および２階平面図設計手段３２で生成した２階平面図に基づき、立面図設計手段３５が自動的に生成するものである。
すなわち、１階平面図設計手段３１および２階平面図設計手段３２において、ユニット式建物を構成する部品、例えば外部窓６３および外部扉６６の平面図上の位置が設定されると（図１０(Ａ)参照）、このデータは立面図設計手段３５に入力されて、外部窓６３および外部扉６６の立面図上の水平方向の位置として設定される。
同時に、高さ位置設定手段５７によって、部品情報蓄積手段２１から部品データを入力し、建物ユニットＴ４〜Ｔ７下端から外部窓６３下端までの寸法が規定寸法Ｓ１とされ、建物ユニットＴ４〜Ｔ７下端から外部扉６６下端までの寸法がＳ２とされて、立面図における外部窓６３および外部扉６６の高さ方向の位置が設定される。
【００５４】
以上に基づいて、ＣＲＴ表示装置２の画面には、図１３(Ａ)に示すように、１階部分を建物ユニットＴ５、Ｔ７で構成したユニット式建物が表示されている。
建物ユニットＴ５、Ｔ７は、階高Ｈ１を有する標準建物ユニットであって、図１３(Ａ)中左側に外部扉６６が、右側に外部窓６３が設けられ、建物ユニットＴ５の下端から外部扉６６までの寸法がＳ２、建物ユニットＴ７の下端から外部窓６３の下端までの寸法がＳ１となっている。
【００５５】
また、建物ユニットＴ５、Ｔ７が、標準建物ユニットよりも高い階高Ｈ２を有する階高建物ユニットである場合であっても、図１３(Ｂ)に示すように、建物ユニットＴ５、Ｔ７の下端から外部扉６６および外部窓６３の下端までの寸法は、標準建物ユニットの場合と同様にＳ２およびＳ１となっている。
【００５６】
したがって、本実施形態によれば以下の効果がある。
（１）ユニット式建物の平面図上に設けられた複数のグリッドモジュール心線Ｇ１の交点のうちの互いに異なる第１点Ｍおよび第２点Ｎを選択するだけで建物ユニットＴ１、Ｔ２の形状を設定できるから、つまりユニット式建物の平面図上で建物ユニットＴ１、Ｔ２の形状を選択、設定して、これらを組み合わせてユニット式建物を設計する作業を行うことができるから、従来のユニット式建物用ＣＡＤシステムのように画面を切り替えて形状メニューの中から選択する必要がない。したがって、マウス操作等の労力や時間を軽減でき、容易に設計作業を行うことができる。
さらに、建物ユニットの対角線上の頂点となる２点を選択するので、具体的な形状をイメージでき、建物ユニットの形状を数値で選択する場合に比べ、誤認や誤操作が少なくなる。
【００５７】
（２）形状選択手段５１によって２つの長方形を選択し、予め設定された複数のＬ字形状のうちの一つの形状(ａ)を選択すると、Ｌ型建物ユニット設定手段５３によって自動的にＬ型建物ユニットＴ３が平面図上に表示されるから、様々な形状および大きさを有するＬ型建物ユニットを簡単な操作で生成することができ、設計作業の作業効率を向上できる。
【００５８】
（３）ハーフモジュール生成手段５４によって、複数のグリッドモジュール心線Ｇ１で形成された通常のグリッドのうち、任意の部分に通常の半分の大きさのグリッド（ハーフサイズグリッド）を形成することができるから、顧客の要望により通常の半分のモジュールで間仕切壁６５の設計を行う箇所にのみハーフサイズグリッドを生成することができる。したがって、全てのグリッドにハーフサイズグリッドを生成する場合に比べ、平面図が見にくくなることがなく、顧客の要望に沿って部品を配置しつつ設計作業の作業効率を向上できる。
【００５９】
（４）扉６２を選択するのみで自動的にその選択された扉６２の形状が反転されるから、扉６２の平面形状を一つ登録するだけでよく、部品の登録数を削減でき、設計作業の作業効率を向上できる。
【００６０】
（５）１階平面図設計手段３１で１階平面図を作成した後、２階平面図設計手段３２によって２階平面図を作成する際に、１階平面図複製手段によって１階平面図を２階平面図に複製できる。したがって、ユニット式建物を構成する建物ユニットの形状、配置等は１階、２階共にほぼ同一であるから、１階平面図をベースとして２階平面図の設計作業を迅速に行うことができ、設計作業の作業効率を向上できる。
さらに、２階平面図の設計作業の際に、間仕切壁や、トイレ、流し台等の水回り関係の配置を１階の間仕切壁やパイプスペース位置を考慮して設計できるから、２階平面図の設計作業を効率的に行うことができる。
【００６１】
（６）通常の階高Ｈ１を有する標準建物ユニットと異なる階高Ｈ２を有する階高建物ユニットの立面図を設計する場合であっても、外部窓６３および外部扉６６の立面図上の水平方向の位置を設定するだけで、高さ位置設定手段５７によって、外部窓６３および外部扉６６の高さ位置が自動的に設定されて立面図上の位置が決定されるから、階高に合わせて部品情報を登録する必要がなく、部品の登録数を削減でき、設計作業の作業効率を向上できる。
【００６２】
（７）建物ユニットの間仕切壁６５を選択するだけで、この選択された間仕切壁６５がＡＬＣ材に自動的に設定されるので、顧客の要望に応じて、壁材としてＡＬＣ材を用いることができるから、設計の自由度を向上できる。
【００６３】
なお、本発明は前記実施形態に限定されるものではなく、本発明の目的を達成できる範囲での変形、改良等は本発明に含まれるものである。
例えば、部品情報蓄積手段２１および積算情報蓄積手段２２を比較的大型の第１のコンピュータ内に構成し、１階平面図設計手段３１、２階平面図設計手段３２、基礎伏図設計手段３３、屋根伏図設計手段３４、立面図設計手段３５および積算手段３６を別の比較的小型の第２のコンピュータ内に構成するとともに、第２のコンピュータを複数設け、これら複数の第２のコンピュータを第１のコンピュータと通信手段で相互に接続してもよい。
このようにすれば、部品情報、積算情報が収納されたファイルを著しく大きくできるうえ、このファイルの管理およびメンテナンスを一括して行うことができる。
【００６４】
また、ハードディスク装置２０に記録される前記部品情報蓄積手段２１および積算情報蓄積手段２２等の各種データは、ＦＤ、ＣＤ−ＲＯＭ、ＤＶＤ等のコンピュータで読み取り可能な記録媒体に記録してＣＡＤシステム１を実現するコンピュータに提供したり、パソコン通信、インターネット等のネットワークを介して各コンピュータに提供してもよい。
また、１階平面図設計手段３１、２階平面図設計手段３２、基礎伏図設計手段３３、屋根伏図設計手段３４、立面図設計手段３５および積算手段３６等は、コンピュータ本体１０で実現されるプログラムであるため、コンピュータで読み取り可能な記録媒体に記録して各コンピュータに提供したり、パソコン通信、インターネット等のネットワークを介して各コンピュータに提供して機能させてもよい。
【００６５】
【発明の効果】
本発明のユニット式建物用ＣＡＤシステムによれば、次のような効果が得られる。
請求項１に記載のユニット式建物用ＣＡＤシステムによれば、ユニット式建物の平面図上に設けられた複数のグリッドモジュール心線の交点のうちの互いに異なる２点を選択するだけで建物ユニットの形状を設定できるから、つまりユニット式建物の平面図上で建物ユニットの形状を選択、設定して、これらを組み合わせてユニット式建物を設計する作業を行うことができるから、従来のユニット式建物用ＣＡＤシステムのように画面を切り替えて形状メニューの中から選択する必要がない。したがって、マウス操作等の労力や時間を軽減でき、容易に設計作業を行うことができる。
さらに、建物ユニットの対角線上の頂点となる２点を選択するので、具体的な形状をイメージでき、建物ユニットの形状を数値で選択する場合に比べ、誤認や誤操作が少なくなる。
【００６６】
請求項２に記載のユニット式建物用ＣＡＤシステムによれば、形状選択手段によって２つの長方形を選択し、予め設定された複数のＬ字形状のうちの一つを選択すると、Ｌ型建物ユニット設定手段によって自動的にＬ型建物ユニットが平面図上に表示されるから、様々な形状および大きさを有するＬ型建物ユニットを簡単な操作で生成することができ、設計作業の作業効率を向上できる。
【００６７】
請求項３に記載のユニット式建物用ＣＡＤシステムによれば、ハーフモジュール生成手段によって、複数のグリッドモジュール心線で形成された通常のグリッドのうち、任意の部分に通常の半分の大きさのグリッド（ハーフサイズグリッド）を形成することができるから、顧客の要望により通常の半分のモジュールで部品の設計を行う箇所にのみハーフサイズグリッドを生成することができる。したがって、全てのグリッドにハーフサイズグリッドを生成する場合に比べ、平面図が見にくくなることがなく、顧客の要望に沿ってハーフサイズの部品を配置しつつ設計作業の作業効率を向上できる。
【００６８】
請求項４に記載のユニット式建物用ＣＡＤシステムによれば、部品を選択するのみで自動的にその選択された部品の形状が反転されるから、例えば、扉や窓のように開き勝手が左右ある部品や、システムキッチン等のように部屋に対応した形状にする必要がある部品について、部品の平面形状を一つ登録するだけでよく、部品の登録数を削減でき、設計作業の作業効率を向上できる。
【００６９】
請求項５に記載のユニット式建物用ＣＡＤシステムによれば、１階平面図設計手段で１階平面図を設計した後、２階平面図設計手段によって２階平面図を設計する際に、１階平面図複製手段によって１階平面図を２階平面図に複製できる。したがって、ユニット式建物を構成する建物ユニットの形状、配置等は１階、２階共にほぼ同一であるから、１階平面図をベースとして２階平面図の設計作業を迅速に行うことができ、設計作業の作業効率を向上できる。
さらに、２階平面図の設計作業の際に、間仕切壁や、トイレ、流し台等の水回り関係の配置を１階の間仕切壁やパイプスペース位置を考慮して設計できるから、２階平面図の設計作業を効率的に行うことができる。
【００７０】
請求項６に記載のユニット式建物用ＣＡＤシステムによれば、通常の階高を有する建物ユニットと異なる階高を有する建物ユニットの立面図を設計する場合であっても、窓や扉等の部品の立面図上の水平方向の位置を設定するだけで、高さ位置設定手段によって、部品の高さ位置が自動的に設定されて立面図上の位置が決定されるから、階高に合わせて部品情報を登録する必要がなく、部品の登録数を削減でき、設計作業の作業効率を向上できる。
【００７１】
請求項７に記載のユニット式建物用ＣＡＤシステムによれば、建物ユニットの床または間仕切壁を選択するだけで、この選択された床または間仕切壁がＡＬＣ材に自動的に設定されるので、顧客の要望に応じて壁材や床材としてＡＬＣ材を用いることができるから、設計の自由度を向上できる。
【図面の簡単な説明】
【図１】本発明の一実施形態に係るＣＡＤシステムを示すブロック図である。
【図２】前記実施形態に係る１階平面図設計手段のブロック図である。
【図３】前記実施形態に係る２階平面図設計手段および立面図設計手段のブロック図である。
【図４】前記実施形態に係る長方形状の建物ユニットを設計する手順を説明するための図である。
【図５】前記実施形態に係る長方形状の建物ユニットの平面図である。
【図６】前記実施形態に係る長方形状の建物ユニットを複数設計する手順を説明するための図である。
【図７】前記実施形態に係るＬ字形状の建物ユニットを設計する手順を説明するための図である。
【図８】前記実施形態に係るＬ字形状の建物ユニットの平面図である。
【図９】前記実施形態に係るユニット式建物の部品を設計する際に利用するハーフモジュールを生成する手順を説明するための図である。
【図１０】前記実施形態に係る部品を平面図上に配置する手順を説明するための図である。
【図１１】前記実施形態に係る部品を反転させる手順を説明するための図である。
【図１２】前記実施形態に係るユニット式建物のＡＬＣ材で形成する部分を設定する手順を説明するための図である。
【図１３】前記実施形態に係るユニット式建物の立面図である。
【図１４】前記実施形態に係るユニット式建物を構成する建物ユニットの骨組みの斜視図である。
【符号の説明】
１      ＣＡＤシステム
３１      １階平面図設計手段
３２      ２階平面図設計手段
３５      立面図設計手段
４２      グリッドモジュール生成手段
４６      １階平面図複製手段
５１      形状選択手段
５２      建物ユニット設定手段
５３      Ｌ型建物ユニット設定手段
５４      ハーフモジュール生成手段
５５      部品反転手段
５６      材料選択手段
５７      高さ位置設定手段
６２      右開きの扉
６３      外部窓
６５      間仕切壁
６６      外部扉
Ｇ１、Ｇ１１                        グリッドモジュール心線
Ｇ４      グリッドモジュール心線としてのハーフモジュール心線
Ｍ、Ｎ、Ｐ、Ｑ、Ｒ、Ｓ、Ｕ、Ｖ      点
Ｔ１、Ｔ２                          長方形状の建物ユニット
Ｔ３                                Ｌ型建物ユニット
【図１】
0004620266.tif 000002
【図２】
0004620266.tif 000003
【図３】
0004620266.tif 000004
【図４】
0004620266.tif 000005
【図５】
0004620266.tif 000006
【図６】
0004620266.tif 000007
【図７】
0004620266.tif 000008
【図８】
0004620266.tif 000009
【図９】
0004620266.tif 000010
【図１０】
0004620266.tif 000011
【図１１】
0004620266.tif 000012
【図１２】
0004620266.tif 000013
【図１３】
0004620266.tif 000014
【図１４】
0004620266.tif 000015